(57)【特許請求の範囲】
【請求項１】
穴部を形成した器具本体と、前記穴部に位置する引き輪を前面に有して前記器具本体に取付けられたスイッチと、前記穴部を塞ぐものであって前記スイッチの前記前面に立設される壁部塞ぎ部とこの壁部塞ぎ部の上端から前記スイッチと反対側に延出する段部塞ぎ部を有し、前記壁部塞ぎ部に引き輪用穴を形成し、かつ前記段部塞ぎ部から前記壁部塞ぎ部の前記引き輪用穴にかけて前記引き輪を挿通するためのスリットを形成した絶縁板とを備え、前記スリットは、その側縁を弾性変形可能にする切込みを前記スリットの両端部および前記段部塞ぎ部と前記壁部塞ぎ部の折曲部分に形成したことを特徴とする照明器具。
【請求項２】
前記切込みは、前記スリットの両側に形成している請求項１記載の照明器具。
【請求項３】
前記切込みは、前記スリットの片側に形成している請求項１記載の照明器具。
【請求項４】
前記切込みは、複数箇所の一部を前記スリットの両側に形成し、残部を前記スリットの片側に形成している請求項１記載の照明器具。
【請求項５】
前記スイッチは前記引き輪で前記スイッチの回転式切片を回転させてスイッチ動作させる構造であり、前記切込みは前記スリットの前記引き輪用穴側端部の片側であって、前記引き輪の引き操作に伴う前記回転式切片の回転により前記引き輪が移動する方向と反対側に形成されている請求項４記載の照明器具。
【発明の詳細な説明】
【０００１】
【発明の属する技術分野】
この発明は、プルスイッチを有する照明器具に関するものである。
【０００２】
【従来の技術】
プルスイッチを有する従来の照明器具には例えば図４から図７に示すものがある。これはランプ６７の点灯状態をプルスイッチ５８の引き紐６１の操作により切り換えるものである。図において、５０は天井直つけ用の円板形の器具本体であり、周側壁５１より内方にリング状の溝部５２を段設して器具本体５０の中央部と溝部５２とで図４に示すように下段部５３と周壁状の壁部５４と上段部５５からなるＺ字形の段部５６を形成している。器具本体５０の中央部には略矩形の樹脂製の絶縁板５７を取付け、プルスイッチ５８を絶縁板５７に取付けている。プルスイッチ５８の引き輪５９は器具本体５０の下段部５３および壁部５４にわたって形成した穴部（図示せず）に通されて外部に引き出される。また穴部を塞ぐように下段部塞ぎ部６３ａと壁部塞ぎ部６３ｂからなる断面Ｌ字形の延出片６３を絶縁板５７より延出し、壁部塞ぎ部６３ａに引き輪用穴６６を形成し、下段部塞ぎ部６３ａから引き輪用穴６６にかけて引き輪５９を通すスリット６７を形成し、スリット６７の引き輪用穴６６と反対側端部をＴ字形に形成している。スリット６７は虫や埃等が照明器具内に入り込みにくくするため引き輪より幅を狭くしている。６０は溝部５２に基端部が取付具により取付けられて先端部が器具本体５０の径方向の外方に延出したスイッチレバーであり、引き輪５９の先端に接続された引き紐６１をスイッチレバー６０の先端に案内させて器具本体５０より垂下している。
【０００３】
６２は本体カバーであり器具本体５０の下面に取付けられている。６４はランプを点灯させる点灯回路ブロックであり、絶縁板５７に取付けられて本体カバー６２により被覆されている。６５はランプソケット、６６はランプ支持ばね、６８はグローブであり、受け金具６４を介して器具本体５０に取付けられる。
【０００４】
プルスイッチ５８を器具本体５０に取付けるときは、まず引き輪５９を絶縁板５７の下段部塞ぎ部６３ａのスリット６７に通し壁部塞ぎ部６３ｂのスリット６７に移動させつつプルスイッチ５８を絶縁板５７に取付け、絶縁板５７を器具本体５０に取付けるとき、引き輪５９を器具本体５０の穴部から外部に通すか、あるいは先に絶縁板５７を器具本体５０を取付けてから絶縁板５７にプルスイッチ５８を上記のように取付ける。
【０００５】
【発明が解決しようとする課題】
照明器具５０内に虫や埃等が入り込みにくい程度の、引き輪５９より幅の狭いスリット６７に引き輪５９を通し、スイッチ取付後は引き輪用穴６６を通してスイッチ操作を行っている。
【０００６】
しかし、従来のようなスリット形状においては引き輪５８よりスリット幅が狭いことから、人手による取付け操作が非常にしづらく、無理にスリット６７に通すと引き輪５９の変形を招き、また機械や設備による取付け操作においても引き輪５９が無理にスリット６７を通るため、取付後にはスリット幅が元のスリット幅よりも広がってしまい、虫や埃等が入りやすいくなってしまうという課題があった。なお、絶縁板５７を薄くすると引き輪５９をスリットに挿通しやすくなるが成形しにくい。
【０００７】
したがって、この発明の目的は、スイッチが取付け容易でスイッチの取付け後も虫や埃等の侵入を防止できる照明器具を提供することである。
【０００８】
【課題を解決するための手段】
請求項１記載の照明器具は、穴部を形成した器具本体と、前記穴部に位置する引き輪を前面に有して前記器具本体に取付けられたスイッチと、前記穴部を塞ぐものであって前記スイッチの前記前面に立設される壁部塞ぎ部とこの壁部塞ぎ部の上端から前記スイッチと反対側に延出する段部塞ぎ部を有し、前記壁部塞ぎ部に引き輪用穴を形成し、かつ前記段部塞ぎ部から前記壁部塞ぎ部の前記引き輪用穴にかけて前記引き輪を挿通するためのスリットを形成した絶縁板とを備え、前記スリットは、その側縁を弾性変形可能にする切込みを前記スリットの両端部および前記段部塞ぎ部と前記壁部塞ぎ部の折曲部分に形成したことを特徴とするものである。
【０００９】
請求項１記載の照明器具によれば、スイッチの引き輪をスリットに挿通する際スリットの切込みによりスリットの側縁が弾性変形し、スリットに沿って引き輪を移動するときも側縁が弾性変形するので、引き輪の挿通が容易になり、スイッチが取付け容易になる。しかも側縁が弾性変形のため復元によりスリット幅が広がったままになることがなく、虫や埃等の侵入を防止することができる。
【００１０】
請求項２記載の照明器具は、請求項１において、前記切込みが、前記スリットの両側に形成しているものである。
【００１１】
請求項２記載の照明器具によれば、請求項１と同様な効果がある。
【００１２】
請求項３記載の照明器具は、請求項１において、前記切込みが、前記スリットの片側に形成しているものである。
【００１３】
請求項３記載の照明器具によれば、請求項１と同様な効果がある。
【００１４】
請求項４記載の照明器具は、請求項１において、前記切込みが、複数箇所の一部を前記スリットの両側に形成し、残部を前記スリットの片側に形成しているものである。
【００１５】
請求項４記載の照明器具によれば、請求項１と同様な効果がある。
【００１６】
請求項５記載の照明器具は、請求項４において、前記スイッチが前記引き輪で前記スイッチの回転式切片を回転させてスイッチ動作させる構造であり、前記切込みは前記スリットの前記引き輪用穴側端部の片側であって、前記引き輪の引き操作に伴う前記回転式切片の回転により前記引き輪が移動する方向と反対側に形成されているものである。
【００１７】
請求項５記載の照明器具によれば、請求項４と同様な効果のほか、回転式スイッチにおける引き輪の引き操作の際の移動に対し絶縁板の引き輪用穴部分のスリットを引き輪の移動のない方にのみ設けることで引き輪の操作時の横方向の移動による絶縁板側の引き輪用穴に接触があっても発生する不快音を防止することができる。
【００１８】
【発明の実施の形態】
この発明の第１の実施の形態を図１および図２により説明する。すなわち、この照明器具は、器具本体、本体カバー（図示せず）、グローブ（図示せず）、ランプ（図示せず）といった構成部品を従来通りとしている。異なる点はスイッチ取付部の絶縁板のスリット形状である。図１および図２はその絶縁板の延出片を示す。
【００１９】
すなわち、器具本体５０が上段部５５と下段部５３とこれらの間の壁部５４からなる断面Ｚ字形の段部５６を有し、下段部５３と壁部５４にまたがる穴部（図示せず）を形成していること、プルスイッチ５８等のスイッチが穴部に挿通される引き輪５９を有して上段部５５の下面に取付けられること、絶縁板５７の延出片６３が穴部を塞ぐように下段部５３に重なる段部塞ぎ部６３ａと壁部５４に重なる壁部塞ぎ部６３ｂからなる断面Ｌ字形であって、穴部に位置する壁部塞ぎ部６３ｂに引き輪用穴６６を形成し、穴部に位置する段部塞ぎ部６３ｂから引き輪用穴６６にかけてスリット６７を形成したことは、図４から図７に示す従来例と同様であり、共通部分に同一符号を付している。
【００２０】
そして、相違する点は、スリット６７が、その側縁６７ａ、６７ｂを弾性変形可能にする切込み１〜３をスリット６７の両端部および段部塞ぎ部６３ｂと壁部塞ぎ部６３ｂの折曲部分６３ｃに形成していることである。切込み１〜３は実施の形態において、スリット６７の両側に形成している。図６に示す従来のＴ字形スリットにおいてはスリット６７の一端のみに切込み１のみが形成されるような格好になっているが、さらに延出片６３の折曲部分６３ｃおよび引き輪用穴６６側の端部にも形成している。
【００２１】
図２（ａ）は引き輪５９を段部塞ぎ部６３ａのスリット６７に挿通するときスリット６７の両側縁６７ａ、６７ｂが弾性変形した状態であり、図２（ｂ）は引き輪５９をさらに壁部塞ぎ部６３ｂのスリット６７に移動させるときの両側縁６７ａ、６７ｂの弾性変形を示し、このとき段部塞ぎ部６３ａのスリット６７はもとの虫等を通さないスリット幅の状態に復元する。引き輪５９が引き輪用穴６６に移動すると壁部塞ぎ部６３ｂのスリット６７ももとの状態に復元する。このように、切込み１〜３をスリット６７に形成することにより、図２のような動作となり引き輪５９が通る際に側縁６７ａ、６７ｂが同時に動いて側縁６７ａ、６７ｂがスイッチ５８と反対側に倒れ込むことによって引き輪用穴６６まで容易に到達することができる。
【００２２】
この発明の第２の実施の形態を図３に示す。すなわち、プルスイッチ５８は引き輪５９でプルスイッチ５８の回転式切片（図示せず）を回転させてスイッチ動作させる公知の構造のものを適用している。この場合、第１の実施の形態の切込み１〜３中の切込み３は、スリット６７の引き輪用穴側端部の片側であって、引き輪５９の引き操作に伴う回転式切片の回転により引き輪５９が横方向に移動する方向と反対側のみに形成されている。その他の構成は第１の実施の形態と同様である。
【００２３】
このように、プルスイッチ５８の切片が回転式である場合には、図３（ｂ）、（ｃ）にも示すように、切片（図示せず）の回転（矢印）と同時に引き輪５９も矢印のように横方向に移動するため、第１の実施の形態では絶縁板５７に取付けた際に引き輪５９が切込みと接触し、不快音が発生するおそれがある。このため、切込み３を、図３（ａ）のように引き輪５９の移動のない側にのみ設け、引き輪５９の接触により側縁６７ａまたは６７ｂが弦のようになって発生する不快音を防止することができる。
【００２４】
なお、この発明において、切込み１〜３は、スリット６７に片側に形成しているものでもよく、あるいは複数箇所の一部をスリット６７の両側に形成し、残部をスリット６７の片側に形成したものでもよい。
【００２５】
また、器具本体５０の穴部は断面Ｚ字形をなすものでなくてもよく、絶縁板は穴部を塞ぐ箱形であってもよい。
【００２６】
【発明の効果】
請求項１記載の照明器具によれば、スイッチの引き輪をスリットに挿通する際スリットの切込みによりスリットの側縁が弾性変形し、スリットに沿って引き輪を移動するときも側縁が弾性変形するので、引き輪の挿通が容易になり、スイッチが取付け容易になる。しかも側縁が弾性変形のため復元によりスリット幅が広がったままになることがなく、虫や埃等の侵入を防止することができる。
【００２７】
請求項２記載の照明器具によれば、請求項１と同様な効果がある。
【００２８】
請求項３記載の照明器具によれば、請求項１と同様な効果がある。
【００２９】
請求項４記載の照明器具によれば、請求項１と同様な効果がある。
【００３０】
請求項５記載の照明器具によれば、請求項４と同様な効果のほか、回転式スイッチにおける引き輪の引き操作の際の移動に対し絶縁板の引き輪用穴部分のスリットを引き輪の移動のない方にのみ設けることで引き輪の操作時の横方向の移動による絶縁板側の引き輪用穴に接触があっても発生する不快音を防止することができる。
【図面の簡単な説明】
【図１】この発明の第１の実施の形態の要部斜視図である。
【図２】引き輪をスリットに挿通する際の動作状態の要部斜視図である。
【図３】（ａ）は第２の実施の形態の要部斜視図、（ｂ）はプルスイッチの斜視図、（ｃ）はその平面図である。
【図４】照明器具の要部断面図である。
【図５】器具本体の上方から見た斜視図である。
【図６】絶縁板のスリットを示す部分斜視図である。
【図７】照明器具の分解斜視図である。
【符号の説明】
１〜３    切込み
５０    器具本体
５７    絶縁板
５８    プルスイッチ
５９    引き輪
６３    延出片（絶縁板）
６３ａ    下段部塞ぎ部
６３ｂ    壁部塞ぎ部
６３ｃ    折曲部分
６６    引き輪用穴
６７    スリット
６７ａ    側縁
６７ｂ    側縁
【図１】
0003948200.tif 000002
【図２】
0003948200.tif 000003
【図３】
0003948200.tif 000004
【図４】
0003948200.tif 000005
【図５】
0003948200.tif 000006
【図６】
0003948200.tif 000007
【図７】
0003948200.tif 000008